(57)【特許請求の範囲】
【請求項１】
掌片と手の甲片を、人間の手にフィットするように縫い付けて一緒に合わせてなる手袋Ａにおいて、前記掌片は、二液型シリコン弾性シーラント２０，２０ａ，２０ｂが微細な形状の模様で印刷され、熱処理後に平滑面を形成するように熱処理前に人造皮革の繊維に十分に浸潤されたあと、１３０〜１７０℃で１分間〜２分間の熱処理がなされて平滑面が形成されたポリウレタン含浸人造皮革１０からなり、湿度条件で変化しない一定の改良された把握力を備えているようにしたことを特徴とする運動用手袋。
【請求項２】
前記二液型シリコン弾性シーラント２０，２０ａ，２０ｂがポリウレタン含浸人造皮革１０の掌片の面全体の２０〜４０％の面上に、幅狭の線、微細な点、小さな文字などの種々の微細な形状の繰り返し模様でシルク印刷されて、元のポリウレタン含浸人造皮革よりも把握力が改良され、平均の厚さ０．４〜０．８ｍｍを有し、様々な湿度条件又は水に完全に濡らしたときでも、元のポリウレタン含浸人造皮革の良好なソフトで柔らかい感触、指の動きやすさ、手応えを失わないで、急速な毛管現象により、改良された把握力が保持されていることを特徴とする請求項１記載の運動用手袋。
【請求項３】
前記二液型シリコン弾性シーラント２０，２０ａ，２０ｂがポリウレタン含浸人造皮革１０の掌片上に部分的に印刷され、又は前記二液型シリコン弾性シーラント２０，２０ａ，２０ｂが印刷された皮革パッチ３０が掌上の主要部分上に部分的に取り付けられ、様々な湿度条件で一定の改良された把握力を備えていることを特徴とする請求項１記載の運動用手袋。
【発明の詳細な説明】
【０００１】
【発明の属する技術分野】
本発明は、改良した滑り止め手袋、より詳しくは、ゴルフ、バッティング等の様々な運動に関連して特に使用するための運動用手袋で、掌側の様々な湿度条件下で耐久性があり、かつ一定の把握力を有するものに関する。
【０００２】
【従来の技術】
従来からよく知られているように、手袋はゴルフ、バッティング、サッカー、ラケットボール等の様々なスポーツで広く使用され、怪我、寒さ等から人間の手を保護する。こうした様々なスポーツで使用される運動用手袋は、一般的には０．４〜０．８ｍｍの範囲の厚さを有する天然皮革、又はポリウレタン人造皮革等の非常に薄くて柔らかい素材でできている。これらの手袋は主として装着した者を怪我や寒さから保護するものであるが、適切に設計された手袋は基本的には運動能力を高めるものだと多くの競技者は考えている。
【０００３】
この運動用手袋の最も基本的特性の一つは、把握力であるが、現在、既存の革手袋の多くは非常にソフトで柔らかい感触と、指の動き、保護、それに手応えを提供するが、これらの手袋の把握力は一般には素手より劣っている。「粘着性」革手袋は、従来の皮手袋の把握力を高めるに当って重要な改良された手袋であるが、粘着性素材はやや湿って、油っぽいねばねばした感触、手の皮膚に残るねばねばした違和感がある。これについての発明は、内面をニトロセルロースとシーラント樹脂を含む溶液でねばねばを消して、内面のねばねばした残留物をなくするものである（米特許第４，６８９，８３２号）。
【０００４】
もう一つの範疇の手袋は掌側片と手の甲側片、即ち、良好なソフトで柔らかい感触、指の動き、保護と手応えをほぼ与える人造ポリウレタン皮革からなる掌側片を有する手袋である。更に、多くの織った又は織らない人造ポリウレタン皮革は天然皮革又は粘着性強化皮革よりずっと耐久性があるが、天然皮革よりずっと低い摩擦力のためほぼ貧弱な把握力しかない。また把握力を改良するために、手袋の掌部を、低油分を有するクローム鞣し処理で作成した皮革又は合成スエード皮革のシートと、皮革又は合成皮革の上部シートに部分的に浸潤するシーラント層として掌側片のほとんどの部分に接着するシリコンの連続する薄い層で作る。
【０００５】
これらの手袋は、掌側片を覆う連続コーティングを形成するシリコン・シーラント材の薄くて均一な層によって優れた把握力を提供するが、この連続シリコン・コーティングは部分的であれ全体的であれ、浸潤の度合いに関わらず、０．４〜０．８ｍｍの範囲の厚さの薄い皮革上で使用した場合、良好なソフトで柔らかい感触、手の動き、それに手応えを相当程度抑える。
【０００６】
更に、水薄膜効果により、部分的であれ全体的であれ、浸潤の度合いに関わらず、連続シリコン・シーラント・コーティング上に水があると、非常に滑り易くなる（米特許第５，１１７，５０９号）。
【０００７】
固形手型軸をその軸上で薄い手型外皮を形成するために活性シリコン又は非シリコン液体に浸し、処理後にその外皮を取り外すことで全体として一つの片を製作する、継ぎ目なし手袋の技術でシリコンが使用されている。この手袋は外科用に適しているが、余りにぴったりしており、また内面がねばねばするので、人が着脱したりすると手の皮膚を場合によっては傷つけるという多くの問題がある。
【０００８】
そして、この新規な手袋は、新規な一液型又は二液型シリコンとシリカ粒子との分散液で処理し、最終浸潤処理においてシリカ粒子を付着させて、摩擦が小さく着脱が簡単な織物風の内面を形成することにより製作されたが、スポーツ用手袋に必要な手袋外面の把握力には全く関係がないものであった（米特許第５，６２０，７７３号）。
【０００９】
今一つの範疇の手袋はウインタースポーツ用手袋である。その掌領域には、追加の合成皮革層のパッチが縫い合わせで係止されており、そのパッチ上には弾性ポリマーを通じて複数の開口部を有する連続して浮き出し模様でエラストマーが当てられている。この種の手袋は基本的にはスキーやスノーボード等に有用である。この種の独立して追加した粘着性強化層パッチの手袋はスキーやスノーボード等のウインタースポーツ用手袋の場合に於いて把握力に大いに資するところがあるが、独立の粘着性強化層を加えたにも拘わらず、厚すぎる裏地、断熱材、詰め物等のためにこの種の手袋を装着すると、良好なソフトで柔らかい感触、指の動き、それに手応えを得ることができず、またこの種の手袋に追加の独立した粘着性強化層を応用した際に、良好なソフトで柔らかい感触、指の動き、それに手応えを抑えるので、ゴルフ、バッティング等の非常に微妙なスポーツの手袋としては実際的ではない。また、ゴルフかバッティング用手袋を装着した者には全く認められない条件である水薄膜効果により弾性ポリマー上に水があると、非常に滑りやすくなる（米特許第５，６２５，９００号）。
【００１０】
現在ある他の手袋はすべて、夏には汗か雨で往々にして起こるが、濡れるか、水に完全に浸すと極めて貧弱な把握力しかなく、また湿度条件で把握力が変わり、手袋装着者が把握力が変わったと感じ、ゴルフ・クラブかバットを握りそこなうか、過度の握力でがっちり握りすぎるために、身体全体が望んでいる以上に硬くなり、ヒットやスイング等を駄目にしてしまう。
【００１１】
【発明が解決しようとする課題】
本発明は、このような従来の手袋の有する問題に鑑みてなされたもので、種々の湿度条件でも良好なソフトで柔らかい感触、指の動き、手応えを損なわないで、変わることのなくより優れた把握力を有する運動用手袋を提供することを目的とするものである。
【００１２】
【課題を解決するための手段】
本発明は、前記課題の解決を図ったもので、請求項１は、掌片と手の甲片を、人間の手にフィットするように縫い付けて一緒に合わせてなる手袋Ａにおいて、前記掌片は、二液型シリコン弾性シーラント２０，２０ａ，２０ｂが微細な形状の模様で印刷され、熱処理後に平滑面を形成するように熱処理前に人造皮革の繊維に十分に浸潤され、１３０〜１７０℃で１分間〜２分間の熱処理がなされて平滑面が形成されたポリウレタン含浸人造皮革１０からなり、湿度条件で変化しない一定の改良された把握力を備えているようにしたことを特徴とする運動用手袋であり、請求項２は、請求項１に記載の運動用手袋おいて、前記二液型シリコン弾性シーラント２０，２０ａ，２０ｂがポリウレタン含浸人造皮革１０の掌片の面全体の２０〜４０％の面上に、幅狭の線、微細な点、小さな文字などの種々の微細な形状の繰り返し模様でシルク印刷されて、元のポリウレタン含浸人造皮革よりも把握力が改良され、平均の厚さ０．４〜０．８ｍｍを有し、様々な湿度条件又は水に完全に濡らしたときでも、元のポリウレタン含浸人造皮革の良好なソフトで柔らかい感触、指の動き、手応えを失わないで、急速な毛管現象により、改良された把握力が保持されているようにした手袋であり、請求項３は、請求項１記載の運動用手袋において、前記二液型シリコン弾性シーラント２０，２０ａ，２０ｂがポリウレタン含浸人造皮革１０の掌片上に部分的に印刷され、又は前記二液型シリコン弾性シーラント２０，２０ａ，２０ｂが印刷された皮革パッチ３０が掌上の主要部分上に部分的に取り付けられ、様々な湿度条件で一定の改良された把握力を備えているようにした手袋である。
【００１３】
【発明の実施の形態】
本発明の望ましい実施例によると、掌片と手の甲片からなる運動用手袋であって、前記掌片は、シリコン弾性シーラントをその上に非常に小さな線、点、形状、又はそれらの組合せなどの微細な形状の繰り返し模様で印刷し、適切に浸潤して種々の湿度条件でも変化しない改良された一定の把握力を備えている厚さ０．４〜０．８ｍｍのポリウレタン含浸人造皮革から形成されており、織布製か不織布製かを問わずポリウレタン含浸人造皮革で作られるのが望ましく、また更に、処理するのに室温で一日以上かかるが、１３０〜１７０℃で１分間〜２分間の処理に適する二液型シリコン弾性シーラントでシルク印刷するのが望ましい。そして、浮き出すようにではなく、熱処理したときに平滑な面を有するようにポリウレタン含浸人造皮革の繊維中に印刷されたシリコン弾性シーラントを適切に浸潤させる処理が望ましい。
【００１４】
前記本発明の手袋は、手袋の着用者に汗か雨による手袋掌面の様々な湿度条件でも一定の良好なソフトで柔らかい感触、指の動き、感触反応及び良好な把握力を必要とするゴルフ用手袋、バッティング用手袋、ラケットボール用手袋等に特に有用である。
シリコン弾性シーラントはソフトで柔らかであるが、エンボス状で、又は一部が湿潤された連続コーティングにより、ポリウレタン含浸人造皮革に応用した際には、元のポリウレタン含浸人造皮革よりもずっと嵩張り、また硬くなり、手袋を着けた際に元のポリウレタン含浸人造皮革の手袋よりも改良された把握力があるにも拘わらず、良好なソフトで柔らかい感触、指の動き、及び感触反応を抑えると共に、湿るか、水で濡らした時に把握力がひどく落ちるが、シリコン弾性シーラントを小さな線、点、形状、文字、又はそれらの組合せなどの微細な形状の繰り返し模様で、表面を最小限に覆うように使用し、熱処理する前にポリウレタン含浸人造皮革の繊維に適切に浸潤させると、元の良好なソフトで柔らかい感触、指の動きやすさ、及び手応えを失うことなく、元のポリウレタン含浸人造皮革よりも把握力がずっと改良される。
更に、浮き出しのねばねばした弾性ポリマー、元のポリウレタン含浸人造皮革、粘着性強化皮革、シリコン弾性シーラントの一部浸潤連続薄膜層その他現在まで知られているものと違って様々な湿度条件でも把握力が決して変化しない。
【００１５】
以下に示す添付図面は、本発明をより完全に理解するのに役立つように、より詳細な説明及び例示のために示したものであって、本発明を制限するものではない。
【００１６】
以下、本発明の一実施例を、添付した図面に基づいて詳細に説明する。
【００１７】
図１は、本発明の手袋Ａの斜視図であって、手袋Ａは、ほぼ掌片と手の甲片とからなり、人の手にぴったりとフィットするのが望ましい。掌片と手の甲片は、手袋の掌片と手の甲片等の側縁を通常のほぼ連続する方法で縫い合わせることが望ましい。
【００１８】
この手袋Ａの掌片に特に適切な素材は、ソフトで柔らかいポリウレタン含浸人造皮革が望ましいが、手の甲片は利用者の好みなり手袋の用途（ゴルフ、バッティング、ラケットボール、サッカー等）や季節によって変化する外温に応じて同じ材質でも異なる材質であっても良く、重要なのは、手袋Ａの掌片（親指内側片も含む）は、二液型シリコン弾性シーラント２０がシルク印刷法によって印刷されるのが望ましく、１３０〜１７０℃で１分間〜２分間の処理を行う前に印刷シリコン弾性シーラントがポリウレタン含浸人造皮革繊維（後に示す図３中の符号１０ｂを参照のこと。）に浸潤され、適切に接着されるように空気中に放置されなければならない。
上記の望ましい二液型シリコン弾性シーラント２０の一例は、日本の信越化学（株）のシリコンＫＥ−１３００Ｔと固化剤ＣＡＴ−１３００であり、シリコンＫＥ−１３００Ｔの主要部に対して固化剤ＣＡＴ−１３００を１０〜３０％の量で使用前に加え、十分にかき混ぜる。また、やや粗いシルク印刷板を、通常の印刷インクよりも低い流動性のシリコン印刷のために使用する。そして、最小限の量のシリコン弾性シーラント２０をポリウレタン含浸人造皮革上に使用しなければならない。
【００１９】
人造皮革の繊維に浸潤した六角形状模様のシリコン弾性シーラントの拡大平面図を示す図２及び人造皮革の繊維に浸潤した六角形状模様のシリコン弾性シーラントの拡大断面図を示す図３ではっきりしているが、把握力は、露出したシリコン弾性シーラントの上面２０ａ（シリコン弾性シーラントの他の部分２０ｂはポリウレタン繊維１０ｂに浸潤されている）に一部は由来しており、一部は元のポリウレタン含浸人造皮革面１０ａとに由来しているが、これらの異なる二つの部分１０ａと２０ａは、最初のポリウレタン含浸人造皮革の最初の平滑面を保持しており、エンボス状か一部が浸潤した連続コーティングのものとは異なる、本発明の核心部分である。
【００２０】
前記の元のポリウレタン１０ａと部分的に印刷されたシリコン２０ａの平滑な組合せ面の優れた特性によって、他の従来の特許されるか、現在まで知られている他の手袋と違って、種々の湿度条件にどのような変化があろうと、元のポリウレタン含浸人造皮革よりも優れた把握力を有している。そして、最低限の領域（面全体のほぼ２０−４０％）でシリコンが印刷され、適切に浸潤されているので、これは元のポリウレタン含浸人造皮革と同様の良好なソフトで柔らかい感触、指の動き、手応え等の最初の特性を保持しており、しかも種々の湿度条件、完全に水に濡らしたときでも変化しない改良された把握力を有している。
【００２１】
前記シリコン弾性シーラント２０をポリウレタン含浸人造皮革上に印刷する場合には、図１〜図５の含浸された幅狭の線（２０）の繊維１０ｂに適切に浸潤し、接着することが望ましい。
【００２２】
また、他の応用は、手袋の掌の主要部分に浸潤した六角形状模様のシリコン弾性シーラントを表す他の実施例の斜視図である図４Ａとこの図４Ａに示す４ｂ−４ｂ線に沿って見た拡大断面図である図４Ｂにおけるように、主要部のみにシリコン弾性シーラントを部分的に印刷するか、図５Ａと図５Ｂに示すように前記と同様にシリコン印刷された皮革パッチ３０を縫い付けることによりパッチする事例である。本発明を実施するためには、先ず、掌片からなる厚さ０．４〜０．８ｍｍのポリウレタン含浸人造皮革１０の片上に、適切に混合した二液型シリコン弾性シーラント２０を非常に小さな線、点、形状、文字、それらの組合せなどの微細な形状の繰り返し模様でシルク印刷し、それからポリウレタン含浸人造皮革１０の繊維１０Ｂ中に適切に浸潤するまで、室温で、望ましくは１０〜３０℃で放置して、印刷シリコンの上面２０ａをポリウレタン含浸人造皮革の最初の面１０ａと平準化させ、最後に、１３０〜１７０℃下で１分間〜２分間熱処理する。この処理時間は従来に比して大幅に短縮するものである。
【００２３】
本発明の処理で特に重要なのは、熱処理する際に浮き上がらないように、印刷されたシリコン弾性シーラントを適切かつ十分にポリウレタン含浸人造皮革の繊維中に浸潤させ、接着することであって、本発明の手袋は、ゴルフ用手袋、バッティング用手袋、ラケットボール用手袋等の最上のソフトで柔らかな感触、指の動きやすさ、手応え、及び手袋着用者の手袋が汗か雨で濡れる様々な湿度条件でも変わらない、良好な把握力を必要とするものに特に有用であり、そしてシリコン弾性シーラントは本来ソフトで柔らかいが、エンボス状で、又は一部が湿潤された連続コーティングにより適用した際には、元のポリウレタン含浸人造皮革よりもずっと嵩張り、しかも硬くなり、手袋を着けた際に元のポリウレタン含浸人造皮革の手袋よりも改良された把握力があるにも拘わらず、良好なソフトで柔らかい感触、指の動きやすさ、及び感触反応を抑制すると共に、湿るか、水に濡らした時に把握力が上で参照した場合の水薄膜効果でひどく落ちる。しかし、シリコン弾性シーラントを小さな線、点、形状、文字、又はそれらの組合せなどの微細な形状の繰り返し模様で、表面を最小限に覆うように使用し、熱処理で処理する前にポリウレタン含浸人造皮革の繊維に適切に浸潤させると、元の良好なソフトで柔らかい感触、指の動きやすさ、及び手応えを失うことなく、元のポリウレタン含浸人造皮革よりも把握力がずっと改良される。
【００２４】
更に、浮き出しのねばねばした弾性ポリマー、元のポリウレタン含浸人造皮革、粘着性強化皮革、シリコン弾性シーラントの一部浸潤連続薄膜層その他現在まで知られているものと違って様々な湿度条件でも把握力が決して変化しない。水分を、印刷シリコン２０ａの上面から、これに隣接する同じ高さの元のポリウレタン含浸人造皮革１０ａの繊維まで、ゴルフ・クラブ、バット等を握る際に急速な毛管現象で容易に追い出し、エンボス状か部分的に湿潤した連続シリコン弾性シーラント印刷とは異なり、通常の条件下におけるように良好な把握力を提供する。
【００２５】
当業者にとっては本発明の追加修正や改良は明らかであろう。このように、この明細書中で説明し図示した部品の特定の組合せは本発明の一実施例を表すに過ぎず、本発明の精神及び範囲に属する代替の装置を制限することを目的とするものではない。更に、この明細書中で限定し請求した運動用手袋は飛行機用手袋等の改良された把握力を必要とする他のスポーツ用でない特別の用途に追加して応用することができる点、及びこの応用のために運動用手袋という用語はこうした広い意味にわたるものとして限定されるべきである点を当業者は理解するであろう。
【００２６】
【発明の効果】
以上の説明から理解できるように、本発明の運動用手袋は、掌片が二液型シリコン弾性シーラントが微細な形状の模様で印刷され、熱処理後に平滑面を形成するように人造皮革の繊維に十分に浸潤され、１３０〜１７０℃で１分間〜２分間の熱処理がなされて平滑面が形成されたポリウレタン含浸人造皮革からなるもので、湿度条件で変化しない一定の改良された把握力を得ることができて、前記熱処理時間も従来に比して大幅に短縮して形成できるものである。また、前記運動用手袋に加えて、掌片の面全体の２０〜４０％の面上に、幅狭の線、微細な点、小さな文字等の様々な微細な形状の繰り返し模様でシルク印刷し、平均の厚さ０．４〜０．８ｍｍにしたことにより、様々な湿度条件又は水に完全に濡らしたときでも、元のポリウレタン含浸人造皮革の良好なソフトで柔らかい感触、指の動きやすさ、手応えを失わないで、急速な毛管現象により改良された把握力を得ることができた。更にまた、上記運動用手袋において、二液型シリコン弾性シーラントがポリウレタン含浸人造皮革の掌片上に部分的に印刷され、又は前記二液型シリコン弾性シーラントが印刷された皮革パッチが掌上の主要部分上に部分的に取り付けられることにより、様々な湿度条件で一定の改良された把握力を得る手袋を提供することができた。しかも、上記の各平滑シリコン印刷手袋において、急速な毛管現象を失わず、また水薄膜効果を生じさせないような範囲でシリコン弾性シーラント印刷の上面が人造皮革の上面よりも僅かに突起させた構造により、よりしっかりと把握できる手袋を提供することができた。
【図面の簡単な説明】
【図１】本発明の手袋を開示する斜視図である。
【図２】本発明による人造皮革の繊維に浸潤した六角形状模様のシリコン弾性シーラントの拡大平面図である。
【図３】本発明による人造皮革の繊維に浸潤した六角形状模様のシリコン弾性シーラントの拡大断面図である。
【図４Ａ】本発明の第二の実施例の斜視図であり、本発明による手袋の掌の主要部分に浸潤した六角形状模様のシリコン弾性シーラントを表す。
【図４Ｂ】４ｂ−４ｂ線に沿って見た図４Ａの拡大断面図である。
【図５Ａ】本発明の第三の実施例の斜視図であり、本発明による手袋の掌の主要部分に縫い付けて取り付けた人造皮革のパッチに浸潤した六角形状模様のシリコン弾性シーラントを表す。
【図５Ｂ】５ｂ−５ｂ線に沿って見た図５Ａの拡大断面図であり、取り付けたシリコン印刷パッチを示す拡大断面図である。
【符号の説明】
Ａ  手袋
１０  ポリウレタン含浸人造皮革
２０  シリコン弾性シーラント
３０  シリコン印刷皮革パッチ
【図１】
0003543269.tif 000002
【図２】
0003543269.tif 000003
【図３】
0003543269.tif 000004
【図４ａ】
0003543269.tif 000005
【図４ｂ】
0003543269.tif 000006
【図５ａ】
0003543269.tif 000007
【図５ｂ】
0003543269.tif 000008